(57)【要約】  【課題】  近年、学校等の登下校時における誘拐等、児童が被害者となる事件が多発しており、保護者には、その道中で子供が誰と一緒にいるのか、どの区間で独りになるのか、といった情報である。そこで、本発明は、単に登校、下校したことを通知するのではなく、誰と一緒にいるのか、独りになる時間や場所といった情報を保護者に提供するものである。  【解決手段】  本発明は、児童が出入口を通過したことを示す通過情報を受信し、該通過情報が含む児童識別情報と受信した時刻とから、下校時の児童が誰と一緒であるのかを得ることが可能となり、さらに、児童の下校経路に関する情報から、誰と何分後のどの地点まで一緒であるのか、という情報をえることが可能となる。【選択図】  図１ 
2005092327.tif 000002
【特許請求の範囲】
【請求項１】
コンピュータが、児童の登下校に関する情報を通知する方法であって、
前記児童が出入口を通過したことを示し、児童識別情報を含む通過情報を受信するステップと、
前記児童識別情報に基づいて、前記児童と前記児童識別情報とを対応付けて記憶するテーブルを参照して、登下校に関する情報を通知すべき通知対象児童を特定するステップと、
前記通過情報を受信した時刻を前記通知対象児童に対応付けて記憶するステップと、
児童と該児童が属するグループとを対応付けて記憶するテーブル及び前記記憶した通過情報を受信した時刻に基づいて、前記通知対象児童が属するグループと同じグループに属し、かつ、前記通知対象児童との前記受信した時刻の差が所定範囲内である児童を判定するステップと、
前記通知対象児童に対応付けられて予め記憶されている連絡先に関する情報に示される連絡先に対して、前記通知対象児童が前記出入口を通過した旨と前記判定した児童の情報を併せて通知するステップと
を備えたことを特徴とする登下校情報通知方法。
【請求項２】
前記児童の下校の経路における前記グループの下校の経路からの分岐地点と、該分岐地点までの所要時間であるグループ下校時間とを、前記児童ごとに予め記憶したテーブルを参照し、前記通知対象児童と前記判定した児童のグループ下校時間を比較して、該グループ下校時間が短い方の児童に対応付けられている分岐地点までの区間及びグループ下校時間を、前記通知対象児童が前記判定した児童と一緒にいる区間及び時間と判定するステップをさらに備え、
前記連絡先に対して、前記判定した区間及び時間の情報を併せて通知すること
を特徴とする請求項１記載の登下校情報通知方法。
【請求項３】
コンピュータを児童の登下校に関する情報を通知させるためのプログラムであって、コンピュータに
前記児童が出入口を通過したことを示し、児童識別情報を含む通過情報を受信する手段と、
前記児童と、少なくとも前記児童識別情報と該児童が属するグループと連絡先とを対応付けて記憶するテーブルと、
前記児童識別情報に基づいて、前記テーブルを参照して、登下校に関する情報を通知すべき通知対象児童を特定する手段と、
前記通過情報を受信した時刻を前記通知対象児童に対応付けて記憶する手段と、
前記テーブル及び前記記憶した通過情報を受信した時刻に基づいて、前記通知対象児童が属するグループと同じグループに属し、かつ、前記通知対象児童との前記受信した時刻の差が所定範囲内である児童を判定する手段と、
前記通知対象児童の連絡先に対して、該通知対象児童が前記出入口を通過した旨と前記判定した児童の情報を併せて通知する手段と
を機能させるための登下校情報通知プログラム。
【発明の詳細な説明】
【技術分野】
【０００１】
本発明は、コンピュータが、児童の登校、下校に関する情報を保護者に通知するための登下校情報通知方法、登下校情報通知プログラム及び登下校情報通知装置に関する。
【背景技術】
【０００２】
近年、学校等の登下校時における誘拐等、児童が被害者となる事件が多発しており、保護者には、子供が無事に学校に着いたか、何時学校を出たのか、というような情報、即ち、子供がいつどこで何をしているのか、という情報を確認したいというニーズがある。
【０００３】
そのような課題を解決するものとして、特許文献１に記載されるようなシステムが公知であり、そのニーズの一部に応えるものとして、すでに実現されているサービスも存在する。
【０００４】
しかし、上記のものはいずれも、単に学校等に到着したこと、あるいは学校等を出たことを通知するだけのものである。
【特許文献１】特開２００２−２６１９６９号公報
【発明の開示】
【発明が解決しようとする課題】
【０００５】
学校等の登下校時に実際に誘拐等が発生するのは、学校を出た後の自宅までの道中であり、保護者として知りたいのは、その間に誰と一緒にいるのか、どの区間で独りになるのか、といった情報である。
そこで、本発明は、単に登校、下校したことを通知するのではなく、誰と一緒にいるのか、独りになる時間や場所といった情報を保護者に提供するものである。
【課題を解決するための手段】
【０００６】
本発明の登下校情報通知方法は、児童が出入口を通過したことを示し、児童識別情報を含む通過情報を受信するステップと、前記児童識別情報に基づいて、前記児童と前記児童識別情報とを対応付けて記憶するテーブルを参照して、登下校に関する情報を通知すべき通知対象児童を特定するステップと、前記通過情報を受信した時刻を前記通知対象児童に対応付けて記憶するステップと、児童と該児童が属するグループとを対応付けて記憶するテーブル及び前記記憶した通過情報を受信した時刻に基づいて、前記通知対象児童が属するグループと同じグループに属し、かつ、前記通知対象児童との前記受信した時刻の差が所定範囲内である児童を判定するステップと、前記通知対象児童に対応付けられて予め記憶されている連絡先に関する情報に示される連絡先に対して、前記通知対象児童が前記出入口を通過した旨と前記判定した児童の情報を併せて通知するステップとにより、実現されるものである。従って、本発明によれば、保護者は、下校時の児童が誰と一緒であるのか、という情報をえることができる。
【０００７】
さらに、本発明は、前記児童の下校の経路における前記グループの下校の経路からの分岐地点と、該分岐地点までの所要時間であるグループ下校時間とを、前記児童ごとに予め記憶したテーブルを参照し、前記通知対象児童と前記判定した児童のグループ下校時間を比較して、該グループ下校時間が短い方の児童に対応付けられている分岐地点までの区間及びグループ下校時間を、前記通知対象児童が前記判定した児童と一緒にいる区間及び時間と判定するステップをさらに備え、前記連絡先に対して、前記判定した区間及び時間の情報を併せて通知することを特徴とするものである。従って、本発明の上記特徴によれば、保護者は下校時の児童が誰と、どこまで、何分後まで一緒にいるのか、という情報をえることができる。
【発明の効果】
【０００８】
以上説明したように、児童の保護者等は、端末で受信し表示される情報により、児童の登下校に関して、誰と一緒なのか、特に下校時においては何分後のどの地点まで誰と一緒にいるのか、といった情報を得ることができ、児童が、事故、誘拐等に遭うことを防止することができる。仮に事故、誘拐等に巻き込まれた場合であっても、その捜査の手がかりとすることができる。
【発明を実施するための最良の形態】
【０００９】
本発明の実施の形態について図面により説明する。
【００１０】
図１に本発明の構成の１例を示す。図１に示される実施例は、サーバ１０と保護者端末１１とがネットワーク１３を介して接続される構成から成るものである。
【００１１】
保護者端末１１は、送受信プログラム１２を備えている。この送受信プログラム１２は、電子メールを送受信するためのいわゆるメーラープログラムや、ネットワークを介して受信した情報を表示するためのブラウザプログラム等により構成されるものである。なお図１の例では３台の保護者端末１１が図示されているが、この数量に限られるものではない。
【００１２】
サーバ１０には、児童情報テーブル２０、登下校グループテーブル３０、登下校記録テーブル４０、時間割テーブル５０、経路情報テーブル６０、登下校情報通知プログラム７０、通過情報受信手段８０を備える。
【００１３】
通過情報受信手段８０は、児童通過認識装置１４から送信される児童の通過情報を受信するためのものである。この児童通過認識装置１４は、例えばＩＣタグリーダーにより構成され、学校の校門等に設置され、児童の名札、かばん等の持ち物に取り付けられたＩＣタグを感知し、その情報をサーバ１０に構成される通過情報受信手段８０に送信するためのものである。
【００１４】
児童情報テーブル２０は、児童に関する基本的な情報を児童ごとに記憶したものであり、その詳細を図２に示す。識別ＩＤ２１は、各児童を識別するための児童識別情報としての役割を持つデータであり、各児童の持ち物等に内蔵されるＩＣタグには、この識別ＩＤ２１のデータが記憶されている。氏名２２は、各児童の氏名を記憶したものである。学年２３、及びクラス２４は、各児童が所属する学年、及びクラスを記憶したものである。連絡先Ａ２５、及び連絡先Ｂ２６は、各児童の登校、下校に関する情報を通知するべき連絡先を記憶したもので、本実施例においては、それぞれメールアドレスが設定されている。
【００１５】
登下校グループテーブル３０は、登校時、及び下校時のグループに関する情報を各児童ごとに記憶するテーブルであり、その詳細を図３に示す。識別ＩＤ２１、氏名２２は、図２と同様である。登校グループ３１は、各児童が属する登校時のグループの名称を記憶したものである。下校グループ３２は、各児童が属する下校時のグループの名称を記憶したものである。分岐地点３３は、各児童の下校の経路において、属するグループで定められた経路から分岐する地点を記憶したものである。例えば、「大宮  一郎」は、学校から「Ｂバス停前」までの区間は、「Ｇ０１」のグループの経路を通って下校するが、「Ｂバス停前」から自宅までの区間については、「Ｇ０１」のグループの経路から離れて、単独で下校することを意味している。所要時間３４は、児童毎の登校若しくは下校に要する時間を記憶したものである。グループ下校時間３５は、学校から、分岐地点３３に設定されている場所までの区間の下校に要する時間を記憶したものである。すなわち、その児童が、グループで定められた経路上を下校している時間を表したものであり、その時間は、同じグループに属する他の児童が一緒であることが期待される時間と換言することもできる。例えば、「大宮  一郎」は下校に「１０分」の時間を要するが、そのうち学校を出てから「７分」の間はグループで下校することを意味する。そして、その残りの３分間が、グループの経路を離れて自宅までに要する時間である。
【００１６】
登下校記録テーブル４０は、各児童の登下校時刻、登下校の情報は通知済みか否かのステータス等を記録するテーブルであり、その詳細を図４に示す。識別ＩＤ２１、氏名２２は、図２と同様である。年月日４１には、後述する登校時刻４２が更新されたときの日付を記録する。登校時刻４２には、通過情報受信手段８０が、児童通過認識装置１４より児童の通過情報を受信し、かつ、その通過を登校と判定したとき、その受信した時刻を記録する。登校通知４３には、児童が登校した旨の通知を送信したか否かのステータスを示すものである。詳細は後述するが、ある児童が登校したことを認識したときには、登校通知を送信して「済」に変更し、その児童が下校したことを認識したときには「未」に変更する。下校時刻４４には、通過情報受信手段８０が、児童通過認識装置１４より児童の通過情報を受信し、かつ通過を下校と判定したとき、その受信した時刻を記録する。下校通知４５には、児童が下校した旨の通知を送信したか否かのステータスを示すものである。詳細は後述するが、ある児童が下校したことを認識したときには、下校通知を送信して「済」に変更し、その児童が登校したことを認識したときには「未」に変更する。
【００１７】
なお、児童情報テーブル２０、登下校グループテーブル３０及び登下校記録テーブル４０については、本実施例においては３つの別々のテーブルとしたが、各児童ごとに上記３つのテーブルに設定されるすべての項目を設定した１つのテーブルにまとめられたものとすることも可能である。
【００１８】
時間割テーブル５０は、各クラスごとの始業時刻及び終業時刻を予め設定し記憶するものであり、詳細を図５に示す。学年５１及びクラス５２は、それぞれ、学年、クラスの種別を表す。始業時刻５３は、始業の時刻を各クラスごとに予め設定するものである。終業時刻５４は、終業の時刻を各クラスごとに予め設定するものである。登下校判定時刻５５は、通過情報を受信した通過時刻から、その通過が登校であるのか下校であるのかを判定するためのものであり、設定された時刻より前であれば登校と判定し、後であれば下校と判定する。
【００１９】
経路情報テーブル６０は、登校及び下校の各グループの経路に関する情報を記憶するものであり、詳細を図６に示す。グループ６１は、各グループの種別を表すものである。始点６２は、各グループの登校若しくは下校の経路の出発点を記憶したものである。従って、下校のグループについては「学校」が設定されることになる。経由６３は、登校若しくは下校の経路上の１又は複数の経由場所を記憶したものである。終点６４は、各グループの登校若しくは下校の経路の終着点を記憶したものである。従って、登校のグループについては「学校」が設定されることになる。地図データ６５は、各グループの経路を地図に表した画像データのファイル名を記憶したものである。各グループの経路を実際に地図で確認したいような場合を考慮したものである。ただし、経路情報テーブル６０は、本発明にかかる処理に直接に必要となるものではない。
【００２０】
登下校情報通知プログラム７０は、本発明にかかる処理を実現するためのもので、通過情報受信手段８０で受信した児童の通過情報に基づいて、保護者端末１１に登下校に関する情報を通知するための処理を記述したプログラムである。
【００２１】
次に図７乃至図９に示すフローチャートにより、本発明にかかる登下校情報通知プログラム７０の動作例を説明する。
【００２２】
図７は、受信した通過情報を登校に関するものと判定し、登校通知を送信する処理を説明したフローチャートである。
【００２３】
ステップＳ７１では、児童通過認識装置１４により検出した児童が通過したことを示す通貨情報を通過情報受信手段８０により受信する。この児童通過認識装置１４とは、学校の校門等に設置されるＩＣタグのリーダーを一例として想定している。児童の名札や持ち物にＩＣタグを内蔵しておき、児童が校門を通過すると、リーダーがそれを通過情報として認識し、サーバ１０の通過情報受信手段８０に送信する。
【００２４】
ステップＳ７２では、通過情報に含まれる各児童の認識ＩＤ２１に基づき、児童情報テーブル２０を参照して、登下校情報を通知すべき児童を特定する。児童の持ち物等に内蔵されるＩＣタグには児童識別情報としての役割を持つ識別ＩＤ２１が記憶されている。通過情報受信手段８０が受信した通過情報には、この識別ＩＤ２１が含まれており、それに基づき児童を特定するのである。具体的には、受信した識別ＩＤ２１が「２００３−００１」であれば、児童情報テーブルの１行目を参照して、通知対象の児童は「大宮  一郎」であることを特定する。
【００２５】
ステップＳ７３では、通過情報を受信した通過時刻から、その校門の通過が登校であるのか、下校であるのかを判定する。例えば、「大宮  一郎」の通過時刻が「８：１６：１５」であったとすると、「大宮  一郎」は児童情報テーブル２０より学年２３が「１」、クラス２４が「１」であることを判定し、時間割テーブル５０の学年５１が「１」、クラス５２が「１」である行を参照すると、登下校判定時刻５５は「１１：００」と設定されているので、「８：１６：１５」はそれよりも前であることから、この通過は「登校」であると判定する。
【００２６】
また、このステップＳ７３の登校若しくは下校の判定には、図示はしていないが別の方法として、校門等の外側と内側との二箇所にＩＣタグのリーダーを設置しておく方法も考えられる。１人の児童が校門等を通過すると、その２つのリーダーにより通過したことが認識されるが、それぞれの通過時刻の差により、外から校門等を通過して中に入ってきたのか、中から外に出て行ったのか、を判定することができる。
【００２７】
ステップＳ７３で「下校」と判定すると、図８に示すフローチャートに示す処理を行うが、その内容については後述する。ステップＳ７３で「登校」と判定すると、ステップＳ７４に進む。
【００２８】
ステップＳ７４では、登校通知が発信済か否かの判定を行う。何らかの原因により、同一の児童の登校を複数回認識してしまった場合に、重複して通知することを防ぐためである。登下校記録テーブル４０の登校通知４３が「済」、かつ年月日４１がその日の日付に設定されていたら、登校通知は「発信済」と判定する。「発信済」と判定した場合には処理を終了する。「未発信」と判定した場合には、ステップＳ７５に進む。
【００２９】
ステップＳ７５では、登下校記録テーブル４０を適切なステータスに変更する。登校時刻４２に通過情報を受信した時刻を登録し、登校通知４３を「済」、下校通知４５を「未」に変更し、年月日４１に受信した日付を登録する。「大宮  一郎」の記録について、具体的に説明すると、図４（ａ）では、年月日４１が「２００２．０７．０９」、登校時刻４２が「８：１０：１５」、登校通知４３が「未」、下校通知４５が「済」となっていたが、図４（ｂ）のようにそれぞれ、年月日４１が「２００２．０７．１０」、登校時刻４２が「８：１６：１５」、登校通知４３が「済」、下校通知４５が「未」に更新されている。
【００３０】
ステップＳ７６では、所定時間が経過した後に、同じ登校グループ３１に属し、かつ、登校時刻４２の差が一定時間内の児童を一緒に登校した児童とみなして検索する処理を行う。登校時刻４２の差が一定時間内、例えば１０秒以内であれば、一緒に登校していた可能性が高いといえるからである。また、所定時間が経過した後に検索処理を行うのは、当該通知対象児童よりも後に校門等を通過した児童を検索対象に加えるためである。この所定時間の値は、一緒に登校していたとみなす登校時刻の差の条件として設定する一定時間と同程度、例えば１０秒に設定すればよい。「大宮  一郎」の場合で具体的にこの処理を説明する。ここでは登校時刻４２の差が１０秒以内であれば一緒に登校していたとみなすこととする。「大宮  一郎」について登下校グループテーブル３０を参照すると、登校グループ３１は「Ｔ０１」であり、登校時刻４２は図４（ｂ）より「８：１６：１５」であることがわかる。よって、登校グループ３１が「Ｔ０１」、年月日４１が「２００３．０７．１０」、登校通知４３が「済」、下校通知４５が「未」、登校時刻４２が「８：１６：０５」〜「８：１６：２５」である児童を検索すると、「与野  三郎」が該当する。従って、「大宮  一郎」は「与野  三郎」と一緒に登校したと判定する。
【００３１】
ステップＳ７７では、一緒に登校したと判定した児童の情報を併せて、登校通知を、通知対象児童の保護者端末１１に送信する。送信先については児童情報テーブル２０の連絡先Ａ２５、若しくは連絡先Ｂ２６を参照し、メールアドレスに関する情報を得る。また、一緒に登校したと判定した児童に関する情報については、児童情報テーブル２０を参照し、学年２３、クラス２４の情報を得る。保護者端末１１における登校通知の表示例を図１０（ａ）に示す。この表示例における通知対象児童は「大宮  一郎」であるので、送信先については児童情報テーブル２０の連絡先Ａ２５を参照してメールアドレス「ｏｍｙ＠ｘｘｘ．ｎｅ．ｊｐ」を得て、送信するものとする。登校通知表示例１００には通知対象児童が、「大宮  一郎君」である旨が表示されている。「大宮  一郎」の登校時刻４２には「８：１６：１５」と記憶されているので、その時分の情報のみを通知することとして、「登校時刻：８時１６分」と表示されている。次に一緒に登校した「与野  三郎」に関する情報を表示する。児童情報テーブル２０の学年２３、クラス２４を参照して、「与野  三郎」の学年は「３」、クラスは「１」であることを得て、登校通知表示例１００では「３年１組  与野  三郎君と一緒に下校」と表示する。
【００３２】
次に、図７のステップＳ７１で「下校」と判定した場合の、下校通知を送信する処理を図８のフローチャートにより説明する。
【００３３】
ステップＳ８１では、下校通知が発信済か否かの判定を行う。何らかの原因により、同一の児童の下校を複数回認識してしまった場合に、重複して通知することを防ぐためである。登下校記録テーブル４０の下校通知４５が「済」、かつ年月日４１がその日の日付に設定されていたら、下校通知は「発信済」と判定する。「発信済」と判定した場合には処理を終了する。「未発信」と判定した場合には、ステップＳ８２に進む。
【００３４】
ステップＳ８２では、登下校記録テーブル４０を適切なステータスに変更する。下校時刻４４に通過情報を受信した時刻を登録し、登校通知４３を「未」、下校通知４５を「済」に変更する。「新城  夏子」の記録について、具体的に説明すると、図４（ｂ）では、下校時刻４４が「１４：２０：１５」、登校通知４３が「済」、下校通知４５が「未」となっていたが、図４（ｃ）のようにそれぞれ、下校時刻４４が「１４：０５：０５」、登校通知４３が「未」、下校通知４５が「済」に更新されている。
【００３５】
ステップＳ８３では、所定時間が経過した後に、同じ下校グループ３２に属し、かつ、下校時刻４４の差が一定時間内の児童を一緒に下校した児童とみなして検索する処理を行う。下校時刻４４の差が一定時間内、例えば１０秒以内であれば、一緒に下校している可能性が高いといえるからである。また、所定時間が経過した後に検索処理を行うのは、当該通知対象児童よりも後に校門等を通過した児童を検索対象に加えるためである。この所定時間の値は、一緒に下校していたとみなす下校時刻の差の条件として設定する一定時間と同程度、例えば１０秒に設定すればよい。「新城  夏子」の場合で具体的にこの処理を説明する。ここでは下校時刻４４の差が１０秒以内であれば一緒に下校していたとみなすこととする。「新城  夏子」について登下校グループテーブル３０を参照すると、下校グループ３２は「Ｇ０２」であり、下校時刻４４は図４（ｃ）より「１４：０５：０５」であることがわかる。よって、下校グループ３２が「Ｇ０２」、年月日４１が「２００３．０７．１０」、登校通知４３が「未」、下校通知４５が「済」、下校時刻４４が「１４：０４：５５」〜「１４：０５：１５」である児童を検索すると、「浦和  二郎」及び「溝口  秋子」が該当する。従って、「新城  夏子」は「浦和  二郎」及び「溝口  秋子」と一緒に下校していると判定する。
【００３６】
ステップＳ８４では、ステップＳ８３で検索した児童全員について、通知対象児童と何分後、どこまで一緒に下校するのかを順次判定する。このステップＳ８４の処理の詳細を図９のフローチャートにより説明する。
【００３７】
ステップＳ９１では、通知対象児童と検索した児童のグループ下校時間３５の長さを比較する。例えば「新城  夏子」のグループ下校時間３５が「１２分」であるのに対して、「浦和  二郎」は「８分」となっている。
【００３８】
ステップＳ９２では、通知対象児童と検索した児童のグループ下校時間３５の比較の結果により処理の分岐判断を行う。通知対象児童の方が長ければステップＳ９３に進み、短ければステップＳ９４に進む。「新城  夏子」と「浦和  二郎」のグループ下校時間３５の比較では、「新城  夏子」の方が長いのでステップＳ９３に進む。
【００３９】
ステップＳ９３では、検索した児童に対応付けられている分岐地点３３、グループ下校時間３５まで、通知対象児童と検索した児童とは一緒にいる予定であると判定する。即ち、「新城  夏子」と「浦和  二郎」とは、下校時には、その経路上の「浦和家」までの「８分」の間、一緒にいる予定であると判定する。
【００４０】
ここまでで、検索した児童の１人の「浦和  二郎」についてステップＳ８４の処理が終わったことになるので、ステップＳ８５に進む。
【００４１】
ステップＳ８５では、検索した児童全員についてステップＳ８４の判定の処理が終了したか否かを判定し、終了していなければステップＳ８４に戻り、終了していればステップＳ８６に進む。ここでは、「溝口  秋子」についてのステップＳ８４の処理が終了していないので、ステップＳ８４に戻る。
【００４２】
上記の「浦和  二郎」の場合と同様に、「溝口  秋子」についてもステップＳ９１乃至ステップＳ９４の処理を行う。
【００４３】
「新城  夏子」のグループ下校時間３５が「１２分」であるのに対して、「溝口  秋子」は「２０分」となっており、「新城  夏子」の方が短いのでステップＳ９４に進む。
【００４４】
ステップＳ９４では、通知対象児童に対応付けられている分岐地点３３、グループ下校時間３５まで、通知対象児童と検索した児童とは一緒にいる予定であると判定する。即ち、「新城  夏子」と「溝口  秋子」とは、下校時には、その経路上の「Ａ町交差点」までの「１２分」の間、一緒にいる予定であると判定する。
【００４５】
ここまでで、検索した児童の２人目の「溝口  秋子」についてステップＳ８４の処理が終わったことになるので、再びステップＳ８５に進む。
【００４６】
ステップＳ８５では、今度は、検索した児童全員についてステップＳ８４の判定の処理が終了していると判定し、ステップＳ８６に進む。
【００４７】
ステップＳ８６では、一緒に下校したと判定した児童の情報を併せて、下校通知を、通知対象児童の保護者端末１１に送信する。送信先については登校通知と同様に児童情報テーブル２０の連絡先Ａ２５、若しくは連絡先Ｂ２６を参照し、メールアドレスに関する情報を得る。また、一緒に登校したと判定した児童に関する情報についても同様に、児童情報テーブル２０を参照し、学年２３、クラス２４の情報を得る。保護者端末１１における下校通知の表示例を図１０（ｂ）に示す。この表示例における通知対象児童は「新城  夏子」であるので、送信先については児童情報テーブル２０の連絡先Ａ２５を参照してメールアドレス「ｓｈｊ＠ｘｘｘ．ｎｅ．ｊｐ」を得て、送信するものとする。下校通知表示例１０１には通知対象児童が、「新城  夏子さん」である旨が表示されている。「新城  夏子」の下校時刻４４には「１４：０５：０５」と記憶されているので、その時分の情報のみを通知することとして、「下校時刻：１４時５分」と表示されている。次に一緒に下校した「浦和  二郎」及び「溝口  秋子」に関する情報を表示する。児童情報テーブル２０の学年２３、クラス２４を参照して、「浦和  二郎」の学年は「２」、クラスは「１」であることを得て、下校通知表示例１０１では、「２年１組  浦和  二郎君と一緒に下校」と表示する。さらに、ステップＳ８４で得た情報、即ち「浦和家まで  ８分  一緒の予定」と表示する。同様に、「溝口  秋子」の学年は「３」、クラスは「２」であることを得て、下校通知表示例１０１では、「３年２組  溝口  秋子さんと一緒に下校」と表示する。さらに、ステップＳ８４で得た情報、即ち「Ａ町交差点まで  １２分  一緒の予定」と表示する。
【００４８】
以上の処理により、下校情報の通知が完了する。
【００４９】
本実施例では、学校への登下校として説明したが、本発明はそれに限るものではなく、例えば塾や習い事に通う児童にも適用が可能である。また、図５に示す時間割テーブル５０では、始業時刻５３、終業時刻５４及び登下校判定時刻５５については、学年５１及びクラス５２ごとに対応付けて記憶しているものとしたが、さらに曜日等に記憶しておくものとしても良い。その場合には、通過情報を受信した曜日に基づいて、時間割テーブル５０を参照して、当該通知情報は登校にかかるものであるのか、下校にかかるものであるのかの判断をすることになる。
【００５０】
なお、図示はしていないが、サーバ１０及び保護者端末１１は、ＣＰＵ（Central Processing Unit）によって装置全体が制御されているコンピュータである。ＣＰＵには、バスを介してＲＡＭ（Random Access Memory）、ハードディスク装置（ＨＤＤ）、グラフィック処理部、入力インタフェース、および通信インタフェース等が接続されている。
【００５１】
ＲＡＭには、ＣＰＵに実行させるＯＳ(Operating System)のプログラムやその他のプログラムの少なくとも一部が一時的に格納される。また、ＲＡＭには、ＣＰＵによる処理に必要な各種データが格納される。ＨＤＤには、ＯＳやその他のプログラムおよびデータが格納される。
【００５２】
グラフィック処理部には、モニタ装置が接続されている。グラフィック処理部は、ＣＰＵからの命令に従って入力画面などをモニタ装置に表示させる。入力インタフェースには、キーボードやマウス等が接続されている。入力インタフェースは、キーボードやマウス等から送られてくる信号を、バスを介してＣＰＵに送信する。
【００５３】
通信インタフェースは、ネットワーク１３に接続されている。通信インタフェースは、ネットワーク１３を介してサーバ１０、保護者端末１１の間で、相互にデータの送受信を行なう。
【００５４】
本発明の実施の形態に係る登下校情報通知プログラム７０を上述のコンピュータで実行させることによって、コンピュータを登下校情報通知装置として機能させることができる。
【００５５】
また、上記のコンピュータが有すべき機能の処理内容は、コンピュータで読み取り可能な記録媒体に記録されたプログラムに記述させておくことができる。このプログラムをコンピュータで実行することにより、上記処理がコンピュータで実現できる。コンピュータで読み取り可能な記録媒体としては、磁気記録装置や半導体メモリなどがある。市場に流通させる場合には、ＣＤ−ＲＯＭ（Compact Disk Read Only Memory）やフレキシブルディスクなどの可搬型記録媒体にプログラムを格納して流通させたり、ネットワークを介して接続されたコンピュータの記憶装置に格納しておき、ネットワークを通じて他のコンピュータに転送したりすることもできる。コンピュータで実行する際には、コンピュータ内のハードディスク装置などにプログラムを格納しておき、メインメモリにロードして実行する。
【００５６】
本発明は、具体的に開示された実施例に限定されるものではなく、特許請求の範囲から逸脱することなく、種々の変形や変更が可能である。
【００５７】
本発明は、以下に記載する付記のような構成が考えられる。
【００５８】
（付記１）
コンピュータが、児童の登下校に関する情報を通知する方法であって、
前記児童が出入口を通過したことを示し、児童識別情報を含む通過情報を受信するステップと、
前記児童識別情報に基づいて、前記児童と前記児童識別情報とを対応付けて記憶するテーブルを参照して、登下校に関する情報を通知すべき通知対象児童を特定するステップと、
前記通過情報を受信した時刻を前記通知対象児童に対応付けて記憶するステップと、
児童と該児童が属するグループとを対応付けて記憶するテーブル及び前記記憶した通過情報を受信した時刻に基づいて、前記通知対象児童が属するグループと同じグループに属し、かつ、前記通知対象児童との前記受信した時刻の差が所定範囲内である児童を判定するステップと、
前記通知対象児童に対応付けられて予め記憶されている連絡先に関する情報に示される連絡先に対して、前記通知対象児童が前記出入口を通過した旨と前記判定した児童の情報を併せて通知するステップと
を備えたことを特徴とする登下校情報通知方法。
【００５９】
（付記２）
前記児童の下校の経路における前記グループの下校の経路からの分岐地点と、該分岐地点までの所要時間であるグループ下校時間とを、前記児童ごとに予め記憶したテーブルを参照し、前記通知対象児童と前記判定した児童のグループ下校時間を比較して、該グループ下校時間が短い方の児童に対応付けられている分岐地点までの区間及びグループ下校時間を、前記通知対象児童が前記判定した児童と一緒にいる区間及び時間と判定するステップをさらに備え、
前記連絡先に対して、前記判定した区間及び時間の情報を併せて通知すること
を特徴とする付記１記載の登下校情報通知方法。
【００６０】
（付記３）
コンピュータを児童の登下校に関する情報を通知させるためのプログラムであって、コンピュータに
前記児童が出入口を通過したことを示し、児童識別情報を含む通過情報を受信する手段と、
前記児童と、少なくとも前記児童識別情報と該児童が属するグループと連絡先とを対応付けて記憶するテーブルと、
前記児童識別情報に基づいて、前記テーブルを参照して、登下校に関する情報を通知すべき通知対象児童を特定する手段と、
前記通過情報を受信した時刻を前記通知対象児童に対応付けて記憶する手段と、
前記テーブル及び前記記憶した通過情報を受信した時刻に基づいて、前記通知対象児童が属するグループと同じグループに属し、かつ、前記通知対象児童との前記受信した時刻の差が所定範囲内である児童を判定する手段と、
前記通知対象児童の連絡先に対して、該通知対象児童が前記出入口を通過した旨と前記判定した児童の情報を併せて通知する手段と
を機能させるための登下校情報通知プログラム。
【００６１】
（付記４）
前記テーブルはさらに前記児童の下校の経路における前記グループの下校の経路からの分岐地点と、該分岐地点までの所要時間であるグループ下校時間とを前記児童と対応付けて記憶しており、
前記テーブルを参照し、前記通知対象児童と前記判定した児童のグループ下校時間を比較して、該グループ下校時間が短い方の児童に対応付けられている分岐地点までの区間及びグループ下校時間を、前記通知対象児童が前記判定した児童と一緒にいる区間及び時間と判定する手段をさらに有し、
前記通知する手段は、前記連絡先に対して、前記判定した区間及び時間の情報を併せて通知すること
を特徴とする付記３記載の登下校情報通知プログラム。
【００６２】
（付記５）
児童の登下校に関する情報を送信する装置であって、
前記児童が出入口を通過したことを示し、児童識別情報を含む通過情報を受信する手段と、
前記児童と、少なくとも前記児童識別情報と該児童が属するグループと連絡先とを対応付けて記憶するテーブルと、
前記児童識別情報に基づいて、前記テーブルを参照して、登下校に関する情報を通知すべき通知対象児童を特定する手段と、
前記通過情報を受信した時刻を前記通知対象児童に対応付けて記憶する手段と、
前記テーブル及び前記記憶した通過情報を受信した時刻に基づいて、前記通知対象児童が属するグループと同じグループに属し、かつ、前記通知対象児童との前記受信した時刻の差が所定範囲内である児童を判定する手段と、
前記通知対象児童の連絡先に対して、該通知対象児童が前記出入口を通過した旨と前記判定した児童の情報を併せて通知する手段と
を備えることを特徴とする登下校情報通知装置。
【００６３】
（付記６）
前記テーブルはさらに前記児童の下校の経路における前記グループの下校の経路からの分岐地点と、該分岐地点までの所要時間であるグループ下校時間とを前記児童と対応付けて記憶しており、
前記テーブルを参照し、前記通知対象児童と前記判定した児童のグループ下校時間を比較して、該グループ下校時間が短い方の児童に対応付けられている分岐地点までの区間及びグループ下校時間を、前記通知対象児童が前記判定した児童と一緒にいる区間及び時間と判定する手段をさらに有し、
前記通知する手段は、前記連絡先に対して、前記判定した区間及び時間の情報を併せて通知すること
を特徴とする付記５記載の登下校情報通知装置。
【図面の簡単な説明】
【００６４】
【図１】本発明を実現するための構成図である。
【図２】児童情報テーブルを図示したものである。
【図３】登下校グループテーブルを図示したものである。
【図４】登下校記録テーブルを図示したものである。
【図５】時間割テーブルを図示したものである。
【図６】経路情報テーブルを図示したものである。
【図７】登下校情報通知プログラム（登校時）のフローチャートを示したものである。
【図８】登下校情報通知プログラム（下校時）のフローチャートを示したものである。
【図９】図８の登下校情報通知プログラム（下校時）のフローチャートにおけるステップＳ８４の処理の詳細を示したものである。
【図１０】登下校情報通知の表示例を図示したものである。
【符号の説明】
【００６５】
１０    サーバ
１１    保護者端末
１２    送受信プログラム
１３    ネットワーク
１４    児童通過認識装置
２０    児童情報テーブル
２１    識別ＩＤ
２２    氏名
２３    学年
２４    クラス
２５    連絡先Ａ
２６    連絡先Ｂ
３０    登下校グループテーブル
３１    登校グループ
３２    下校グループ
３３    分岐地点
３４    所要時間
３５    グループ下校時間
４０    登下校記録テーブル
４１    年月日
４２    登校時刻
４３    登校通知
４４    下校時刻
４５    下校通知
５０    時間割テーブル
５１    学年
５２    クラス
５３    始業時刻
５４    終業時刻
５５    登下校判定時刻
６０    経路情報テーブル
６１    グループ
６２    始点
６３    経由
６４    終点
６５    地図データ
７０    登下校情報通知プログラム
８０    通過情報受信手段
【図１】
2005092327.tif 000003
【図２】
2005092327.tif 000004
【図３】
2005092327.tif 000005
【図４】
2005092327.tif 000006
【図５】
2005092327.tif 000007
【図６】
2005092327.tif 000008
【図７】
2005092327.tif 000009
【図８】
2005092327.tif 000010
【図９】
2005092327.tif 000011
【図１０】
2005092327.tif 000012